(57)【要約】【課題】厨房は十分な換気能力が必要である。しかし、厨房内の不快感から取入れ口が閉じられており、外気取入れ量が不足すること、また不足により入口扉開閉の支障となること、そして、場合により子供の怪我発生という最悪の状況となること等が考えられる。また厨房の温度の上昇、又は降下時のコントロールを空調機に依存する状態では、資源の無駄遣いであり、またランニングコストの上昇等の問題も抱えている。【構成】本発明は、空調機に設けドレン管に、ジャバラ構造の配管、又はダクト構造の配管等の如く熱交換用の配管を厨房用の取入れ口に配管し、熱交換用の配管を流れるドレン水と、取入れ口を流れる空気とによる熱交換で、空気の温度を制御して、厨房に取入れる空気の調和を図る厨房用の空調環境装置であり、ドレン水の有効利用を図る。【選択図】    図１
2004347260.tif 000002
【特許請求の範囲】
【請求項１】
空調機に基端を設け、自由端を開放したドレン管の一部に、ジャバラ構造の配管、又はダクト構造の配管等の如く高効率熱交換用の配管を設け、この熱交換用の配管を厨房用の取入れ口に配管し、この熱交換用の配管を流れるドレン水と、この取入れ口を流れる空気とによる熱交換で、当該空気の温度を制御して、当該厨房に取入れる空気の調和を図る厨房用の空調環境装置。
【請求項２】
請求項１に記載した熱交換用の配管を、ジャバラ構造の配管とした構造では、外部との境部をガラリ、パンチング板、又はフィルタ等の空気流通壁構成材とすることを特徴とした厨房用の空調環境装置。
【請求項３】
請求項１に記載した熱交換用の配管を、ダクト構造の配管とした構造では、取入れ口内に設置し、このダクト構造の配管の内外を介して空気と接触可能にすることを特徴とした厨房用の空調環境装置。
【発明の詳細な説明】
【０００１】
【発明の属する技術分野】
この発明は、厨房用の空調環境装置に関する。
【０００２】
【従来の技術】
周知の如く、厨房は十分な換気能力が必要である。従って、設計の段階から外気取入れ口が設けられる。しかし、厨房内の不快感（外気取入れ「導入」による屋内温度の上昇、又は降下等）から閉じられている場合が多く、外気取入れ量が不足すること（空気が希釈化となること）、またこの不足により入口扉の開閉に支障となること、そして、場合により子供の怪我が発生するという最悪の状況となること等が考えられる。また前述の如く、屋内温度の上昇、又は降下等における当該厨房の温度調整を空調機に依存する状態では、資源の無駄遣いであり、またランニングコストの上昇等の問題も考えられる。
【０００３】
尚、ドレン排水を利用した発明としては、例えば、特開平６−３４１５２号の空気調和装置がある。この発明は、入口を室内側熱交換器のドレンパンに接続したドレンホースの出口を、室外側熱交換器の伝熱部分に臨ませて、このドレンホースの出口側にドレン水を集溜する溜め部を設け、またこのドレンホースに室内空気を室外へ排出させる換気用ファンを配設し、この換気用ファンの作動時、ドレンホース内を通風する室内空気中に、溜め部のドレン水を霧状に混入して、当該ドレンホースを用いて、屋内の換気を行なうとともに、霧化状のドレン水が混入された室内空気を、室外側熱交換器に噴射し、当該室外側交換器を冷却して高外気温冷房運転時の熱交換能力の向上を意図する構成である。
【０００４】
【発明が解決しようとする課題】
従来の如く、厨房に直接外気を取入れることに弊害があることは、前述の通りであり、この問題点を解決することが望まれている。
【０００５】
そして、概述した文献では、ドレン水を冷却手段として利用することに特異性はあるが、単に熱交換器の冷却に対する考え方であって、厨房の空調環境設定を意図しないこと、又は、外気取入れ量が不足する場合の対処が十分ではないこと、またこの不足による入口扉開閉の支障等の改良に関して配慮がないこと等の問題も抱えている。
【０００６】
【課題を解決するための手段】
請求項１の発明は、従来、課題なっていた下記の点を解消することを意図する。▲１▼  厨房の十分な換気能力維持を図り、厨房内の不快感、外気取入れ量不足等を解消し、入口開閉扉の開閉困難性の解消（不足による入口扉開閉の支障）と、隙間風の発生を無くし、また子供の怪我発生を皆無とすること等を意図する。▲２▼  厨房の温度変化を、外気の取入れで、直接的に左右される状態を回避する。即ち、熱交換用の配管を利用して、外気（取入れ口を流れる空気）を上温することで、厨房の急激な温度変化を無くすこと、さらに資源の無駄遣い、またランニングコストの上昇等の問題を解消することを意図する。
【０００７】
請求項１は、空調機に基端を設け、自由端を開放したドレン管の一部に、ジャバラ構造の配管、又はダクト構造の配管等の如く高効率熱交換用の配管を設け、この熱交換用の配管を厨房用の取入れ口に配管し、この熱交換用の配管を流れるドレン水と、この取入れ口を流れる空気とによる熱交換で、当該空気の温度を制御して、当該厨房に取入れる空気の調和を図る厨房用の空調環境装置である。
【０００８】
請求項２の発明は、請求項１の目的を達成すること、また一層の熱交換の効率化を図ること、又は建屋の壁面の美観維持を図ること等を意図する。
【０００９】
請求項２は、請求項１に記載した熱交換用の配管を、ジャバラ構造の配管とした構造では、外部との境部をガラリ、パンチング板、又はフィルタ等の空気流通壁構成材とすることを特徴とした厨房用の空調環境装置である。
【００１０】
請求項３の発明は、請求項１の目的を達成すること、また熱交換用の配管の設置の容易化、構造の簡易化と、低コスト化等を図ること、又は一層の熱交換の効率化を図ること等を意図する。
【００１１】
請求項３は、請求項１に記載した熱交換用の配管を、ダクト構造の配管とした構造では、取入れ口内に設置し、このダクト構造の配管の内外を介して空気と接触可能にすることを特徴とした厨房用の空調環境装置である。
【００１２】
【発明の実施の形態】
図１、図２に示す例は、熱交換用の配管としてジャバラ構造の配管とした一例であり、屋内（室内）の空調機の冷房時に排出されるドレン水は、ドレン配管を利用して、外気取入れ口に配備したジャバラ構造の配管に流す。これにより、取入れ口の入口より屋内に取入れられる外気との熱交換が図れることで、この外気は冷やされて下温（外気の温度が下がること）する。そして、この例では、ジャバラ構造の配管であり、比較的小さい取入れ口の出口近傍で熱交換が効率的に行われる。この熱交換で、下温された外気は、屋内に取入れられるが、当然、直接外気を取入れる構造に対して、屋内の上温（屋内の温度が上がること）は回避される。このジャバラ構造の配管では、比較的小型の装置でも、効率的な熱交換が図れることから、設置箇所のエリアの拡充と、設置面積の小型化等が達成されて、汎用性の向上、低コスト化等が図れる。また壁面の美観維持と、改造の容易化等に役立つ特徴がある。そして、図１に試案として、温度、外気量、ドレン水量等を表示した。尚、図示しないが、冬季において、このジャバラ構造の配管に、暖房用の熱気を利用して熱交換し、外気を上温することで、従来の取入れ口からの冷たい外気の取入れに纏わる課題を解消することも可能である（以下、同じ）。
【００１３】
次に、図３〜図５に示す例は、熱交換用の配管としてダクト構造の配管とした一例であり、屋内の空調機の冷房時に排出されるドレン水は、ドレン配管を利用して、外気取入れ口に配備したダクト構造の配管に流す。これにより、ダクト構造の配管の中空部を流れる外気（屋内に取入れられる外気）と、この（ダクト構造の配管内を流れる）ドレン水との熱交換が図れることで、この外気は冷やされて下温する。そして、この例では、ジャバラ構造の配管であり、比較的小さい取入れ口の出口近傍で熱交換が効率的に行われる。この熱交換で、下温された外気は、屋内に取入れられるが、当然、直接外気を取入れる構造に対して、屋内の上温は回避される。尚、その他の特徴は、前述の例に準ずる。またこの例では、取入れ口のダクトに開閉扉を設置することで、内気の温度変化を、前述の外気と同じようにすることも可能である。これにより、建屋周辺への高温、冷温の風の排気を回避すること、またこの回避を介して（温度）環境維持に役立つ特徴がある。
【００１４】
【実施例】
以下、本発明の一実施例を説明する。
【００１５】
図１、図２に示す例では、１は屋内Ａに設置された空調機で、この空調機１にはドレン管２が設けられている。そして、このドレン管２は厨房Ｂ用の取入れ口３（外気の取入れ通路）に至っている。但し、このドレン配管２は、この取入れ口３の出口３０１近傍で、ジャバラ構造の配管２００に繋がっており、この出口３０１近傍で熱交換する構造となっている。換言すると、外気とドレン水（冷水）との効率的な熱交換を図る。そして、基端を空調機１に設けたドレン管２の自由端は、地面、ベランダ等の排水可能な面に至る。
【００１６】
図中３００は取入れ口３の入口を示す。Ｃは屋外を示す。
【００１７】
また壁面Ｄに取入れ口３が設けられた例では、この取入れ口３の入口３００を、パンチング板、ガラリ、フィルタ等の空気流通部材で隠蔽する。
【００１８】
尚、図示しないが、取入れ口３に温風を供給する配管を設け、この配管からの温風で、外気を上温する構成も採用する構成も可能である。
【００１９】
また図３〜図５に示す例では、取入れ口３の出口３０１近傍に、ダクト構造（ドーナツ筒状）の配管２０１が支持されており、このダクト構造の配管２０１の内外に空気の流れる流路が形成される。このダクト構造の配管２０１の略ロ字形を呈するダクト構造部２０１ａにドレン水が流れる。そして、この例では、取入れ口３の出口３０１は三方向に開口する平面視して略Ｔ字形をしている。この取入れ口３には、空気を誘導するための仕切り板３０２（閉塞形と、一部開放形等を利用し、適宜調合する）を有する。この仕切り板３０２を利用して出口３０１からの吹出し方向を変更する。例えば、図３、図４の例では、左右の出口３０１を閉じ、中心の出口３０１を開いた状態を示している。従って、この例では、空気が中心の出口３０１より屋内に取入れられる。また図５の例では、左右の出口３０１を半開きとして、中心の出口３０１を開いた状態を示している。従って、この例では、左右より内気を取入れ口３に誘導し、取込んだ内気、又は冬季の冷気と混合して、中心の出口３０１より調合した空気を屋内に取入れる構成である。そして、この例では、ダクト構造の配管２０１の内外表面を利用して、高効率の熱交換が図れる。
【００２０】
【発明の効果】
請求項１の発明は、空調機に基端を設け、自由端を開放したドレン管の一部に、  ジャバラ構造の配管、又はダクト構造の配管等の如く高効率熱交換用の配管を設け、熱交換用の配管を厨房用の取入れ口に配管し、熱交換用の配管を流れるドレン水と、取入れ口を流れる空気とによる熱交換で、空気の温度を制御して、厨房に取入れる空気の調和を図る厨房用の空調環境装置である。
【００２１】
従って、請求項１は、従来、課題となっていた下記の点の解消を特徴とする。▲１▼  厨房の十分な換気能力維持を図り、厨房内の不快感、外気取入れ量不足等を解消し、入口開閉扉の開閉困難性の解消（不足による入口扉開閉の支障）と、隙間風の発生を無くし、また子供の怪我発生を皆無とすること等にある。▲２▼  厨房の温度変化を、外気の取入れで、直接的に左右される状態を回避する。即ち、熱交換用の配管を利用して、外気を上温することで、厨房の急激な温度変化を無くすこと、さらに資源の無駄遣い、またランニングコストの上昇等の問題を解消することにある。
【００２２】
請求項２の発明は、請求項１に記載した熱交換用の配管を、ジャバラ構造の配管とした構造では、外部との境部をガラリ、パンチング板、又はフィルタ等の空気流通壁構成材とすることを特徴とした厨房用の空調環境装置である。
【００２３】
従って、請求項２は、請求項１の目的を達成すること、また一層の熱交換の効率化を図ること、又は建屋の壁面の美観維持が図れること等の特徴がある。
請求項３の発明は、請求項１に記載した熱交換用の配管を、ダクト構造の配管とした構造では、取入れ口内に設置し、ダクト構造の配管の内外を介して空気と接触可能にすることを特徴とした厨房用の空調環境装置である。
【００２４】
請求項３は、請求項１の目的を達成すること、また熱交換用の配管の設置の容易化、構造の簡易化と、低コスト化等を図ること、又は熱交換のより効率化が図れること等の特徴がある。
【図面の簡単な説明】
【図１】本発明の第１実施例を示す全体の模式図
【図２】図１の例の要部の拡大正面図
【図３】本発明の第２実施例を示す全体の模式図
【図４】図３の例の側面図
【図５】図３の例の平面図
【符号の説明】
１          空調機
２                ドレン管
２００        ジャバラ構造の配管
２０１        ダクト構造の配管
２０１ａ      ダクト構造部
３          取入れ口
３００        入口
３０１        出口
３０２        仕切り板
【図１】
2004347260.tif 000003
【図２】
2004347260.tif 000004
【図３】
2004347260.tif 000005
【図４】
2004347260.tif 000006
【図５】
2004347260.tif 000007